(57)【特許請求の範囲】
【請求項１】
３つ以上の細長い発光構造体を備えるＳＳＬランプであって、
前記３つ以上の細長い発光構造体の各々のそれぞれの第１の端部が第１の多角形を画定するように配置され、
前記３つ以上の細長い発光構造体が少なくとも３０度の最小角度で互いに交差するように前記３つ以上の細長い発光構造体の各々の一部が互いの近傍に配置され、それにより共通ネックを形成しており、
前記３つ以上の細長い発光構造体の各々のそれぞれの第２の端部が第２の多角形を画定するように配置され、前記第１の多角形と前記第２の多角形とは互いに対して回転されており、
前記３つ以上の細長い発光構造体のうちの少なくとも１つが、細長いＬＥＤフィラメントの形態の能動発光構造体である、
ＳＳＬランプ。
【請求項２】
前記３つ以上の細長い発光構造体のうちの少なくとも１つが、固体レーザを備える細長い発光構造体の形態の能動発光構造体である、請求項１に記載のＳＳＬランプ。
【請求項３】
３つ以上の細長い発光構造体を備えるＳＳＬランプであって、
前記３つ以上の細長い発光構造体の各々のそれぞれの第１の端部が第１の多角形を画定するように配置され、
前記３つ以上の細長い発光構造体が少なくとも３０度の最小角度で互いに交差するように前記３つ以上の細長い発光構造体の各々の一部が互いの近傍に配置され、それにより共通ネックを形成しており、
前記３つ以上の細長い発光構造体の各々のそれぞれの第２の端部が第２の多角形を画定するように配置され、前記第１の多角形と前記第２の多角形とは互いに対して回転されている、ＳＳＬランプであって、
前記３つ以上の細長い発光構造体のうちの少なくとも１つが、細長い光散乱機構の形態の受動発光構造体である、ＳＳＬランプ。
【請求項４】
前記３つ以上の細長い発光構造体は、細長いＬＥＤフィラメントの形態の能動発光構造体である、請求項１に記載のＳＳＬランプ。
【請求項５】
前記第１の多角形と前記第２の多角形とは等しい形状である、請求項１乃至４の何れか一項に記載のＳＳＬランプ。
【請求項６】
前記第１の多角形と前記第２の多角形とは等しいサイズである、請求項１乃至５の何れか一項に記載のＳＳＬランプ。
【請求項７】
前記３つ以上の細長い発光構造体の各々が、前記第１の多角形の法線方向に対する対応角を有して配置されている、請求項１乃至６の何れか一項に記載のＳＳＬランプ。
【請求項８】
三脚構成で配置されている３つの細長い発光構造体を備える、請求項１乃至７の何れか一項に記載のＳＳＬランプ。
【請求項９】
四脚構成で配置されている４つの細長い発光構造体を備える、請求項１乃至８の何れか一項に記載のＳＳＬランプ。
【請求項１０】
前記３つ以上の細長い発光構造体を少なくとも部分的に取り囲むように構成されている透明バルブを更に備える、請求項１乃至９の何れか一項に記載のＳＳＬランプ。
【請求項１１】
前記透明バルブは、前記第１の多角形の通過に適合した開口部を備える、請求項１０に記載のＳＳＬランプ。
【請求項１２】
前記透明バルブは、前記第２の多角形の通過に適合した開口部を備える、請求項１０又は１１に記載のＳＳＬランプ。
【発明の詳細な説明】
【技術分野】
【０００１】
本発明は、全般的には３つ以上の細長い発光構造体を備えるＳＳＬランプに関する。
【背景技術】
【０００２】
エネルギー及び特に電気の使用を削減するという国際的な必要性と願望とが、よりエネルギー効率の高いランプ又は光源の開発を急速に前進させている。固体光源に基づくランプ、いわゆる固体照明ランプ（ＳＳＬランプ）は、従来の白熱光源と比較してエネルギー消費が低いため、絶えずより多くの注目を受けている。ＳＳＬランプの典型的な例は、様々な種類の発光ダイオード（ＬＥＤ）に基づく光源である。このような光源は、通常はＬＥＤランプ又はＳＳＬランプと呼ばれる。典型的なＳＳＬランプからの光束が増加する一方で、ＳＳＬランプはエネルギー効率が次第に良くなっている。光束が増加し、かつエネルギー消費が低いことにより、ＳＳＬランプを絶えず増え続けている用途に使用することが可能になっている。
【０００３】
ＳＳＬランプは、多くの態様で従来の白熱電球と比較して極めて大きな利点を提供するが、外観及び光分布は、一般にいくつかの理由で魅力が劣っていると考えられている。ＳＳＬランプは、典型的には明るい指向性の光を放出する。ＳＳＬランプから放出される光は多くの場合、光の高い色温度及び典型的な指向性ゆえに、低温で装飾性が低いと感知される。この理由から、比較的低い色温度を有する光を用いて全方向性光束を生成することを目的とした、多くのＳＳＬランプが利用可能である。このようなＳＳＬランプは、換言すればある意味、従来の白熱電球の外観に似せるか又は外観を模倣しようとしている。
【０００４】
従来の白熱電球は一般に薄いフィラメントを有し、それが加熱されて高温になり、それによって輝いているとき又は燃えているときに光を発する。従来の白熱電球から放出される光は一般に、典型的なＳＳＬ光源と比較して、より低い色温度を有する。また、全方向性は一般に問題とは見なされない。従って、従来の白熱電球の典型的な特徴は、ＬＥＤ又はレーザ光源に基づくＳＳＬランプと比較して、暖かくて装飾的なことであると通常は認められている。
【発明の概要】
【発明が解決しようとする課題】
【０００５】
従来の白熱電球の外観の模倣を試みることを目的とした、ＳＳＬランプのための様々な技術的解決策が存在する。一般に、これらの技術的解決策では眩しくなる傾向があり、これはＳＳＬランプを透明バルブで使用する場合には益々顕著になる問題である。透明バルブの使用は、利用者がランプを直接見ることが予想される、いわゆる透明なキャンドル及びバルブでは一般的である。ＳＳＬランプの眩しいという性質は典型的には、ランプを直接見ることが予想される、例えば装飾用途において、それ以外の点では魅力的なＳＳＬランプの使用を阻止している。
【０００６】
従って、ＳＳＬランプを改善する必要がある。
【課題を解決するための手段】
【０００７】
本発明の一態様によると、上記は、３つ以上の細長い発光構造体を備えるＳＳＬランプによって少なくとも部分的に緩和され、３つ以上の細長い発光構造体の各々のそれぞれの第１の端部は、それらが第１の多角形を画定するように配置され、３つ以上の細長い発光構造体が少なくとも３０度の最小角度で互いに交差するように、３つ以上の細長い発光構造体の各々の一部が互いの近傍に配置され、それにより共通ネックを形成している。
【０００８】
本発明により、ＳＳＬランプの改善が実現される。ＳＳＬランプは比較的均一な光分布を有する光を放出し、従来の白熱電球を意図した様々な用途においてＳＳＬランプを使用し得ることが可能になる。換言すれば、ＳＳＬランプは従来の白熱電球を模倣した光分布を有する光を放出し、その結果、ＳＳＬランプを、従来の白熱電球を置き換えるレトロフィットとして、又は特定の要求に合わせた用途で使用することができる。
【０００９】
更に、３つ以上の細長い発光構造体が少なくとも３０度の最小角度で互いに交差するように互いの近傍に配置されていると同時に共通ネックを形成している、３つ以上の細長い発光構造体からＳＳＬランプが光を放出するという事実の結果として、ＳＳＬランプがスパークリング効果を生成する。より具体的には、発光構造体は、共通ネックが形成されるように少なくとも３０度の最小角度で互いに交差しているので、顕著なスパークリング効果が実現される。一般に、スパークリング効果はランプを見る人によって好ましく感じられる。同時に、上述のスパークリング効果を有するランプは一般に、眩しさがより少ないと見なされる。換言すれば、ＳＳＬランプは一般に、３つ以上の細長い発光構造体が少なくとも３０度の最小角度で互いに交差すると同時に共通ネックを形成している場合には、眩しさがより少なく、かつスパークリングがより多いと見なされる。従って、この配置により、ＳＳＬランプを利用者が直接見ることが予想される装飾用途にとって、ＳＳＬランプは魅力的で好適になる。
【００１０】
好ましく感じられるスパークリング効果は、人間の眼の性質及び利用者の認知ゆえに、利用者が発光構造体の真の交差部と見なし得るものを見ることができる場合に一般的により強い。換言すれば、好ましく感じられるスパークリング効果は、発光構造体が、例えば少なくとも３０度の比較的大きな最小角度で互いに交差するときに一般に実現される。
【００１１】
本出願の文脈において、用語「発光構造体」は、光を放出し得る任意の種類の能動的又は受動的な構造体であり得ることに留意すべきである。発光構造体は、構造体から放出される光を生成し得る。発光構造体は、構造体の外部で生成された光を受光し、伝達又はガイドすることができ、伝達された光は次に構造体から放出される。発光構造体は、光を生成するＬＥＤ要素を備えてもよい。更に、発光構造体は、有機発光ダイオード（ＯＬＥＤ）、ポリマー発光ダイオード（ＰＬＥＤ）、又は光を生成する固体レーザを備えてもよい。発光要素は、光を散乱させるための粗面を備える透光性要素であってもよい。更に、発光構造体を照射する光は、構造体内で伝達され、引き続き構造体の異なる場所で散乱及び放出されてもよい。レーザダイオードなどの固体レーザは、有利には、光を伝達及び散乱させるための構造体と組み合わせて使用してもよい。従って、発光構造体は、光が構造体内で伝達され得ることを可能にする透光性材料で作製されてもよく、さもなければ発光構造体は構造体内で光を伝達することができない場合がある。発光構造体は、光を生成する能動部分、及び光を受光し放出する受動部分を備えてもよい。
【００１２】
本出願の文脈において、用語「細長い発光構造体」は、幅の少なくとも３倍の長さを有する任意の種類の発光構造体であってよいことに留意すべきである。
【００１３】
本出願の文脈において、用語「互いの近傍に配置されている」は、任意の細長い発光構造体の最大断面寸法の２倍を超えない、任意の細長い発光構造体間の任意の最小距離を指し得ることに留意すべきである。[MultiLing1]換言すれば、互いに最も近い位置にあるいかなる２つの細長い発光構造体間の距離も、それぞれの細長い発光構造体の断面寸法の２倍を超えない場合がある。３つ以上の細長い発光構造体は、例えば、３つ以上の細長い発光構造体が対称に配置されている場合のように、３つ以上の細長い発光構造体間の最小距離が等しくなるように配置されていてもよい。
【００１４】
本出願の文脈において、用語「共通ネック」は、３つ以上の細長い発光構造体が共通位置において互いの近傍に配置されるように配置され、それにより、３つ以上の細長い発光構造体によって画定される容積の最小断面が明確に形成されるような任意の物理的配置を指し得ることに留意すべきである。換言すれば、共通ネックは、細長い発光構造体を備える配置の最小断面によって画定される。共通ネックは、それぞれの細長い発光構造体の配置によってのみ画定され、それぞれの細長い発光構造体の形状及びサイズによっては画定されず、ゆえにネックは、それぞれの細長い発光構造体の長手方向の伸張範囲に沿った任意の点に形成されていてもよい。３つ以上の細長い発光構造体は典型的には、バルブのような２つの容積が、狭いネック、すなわち共通ネックによって接続されている、砂時計に似た容積を画定するように配置されていてもよい。３つの細長い発光構造体が使用される場合は従って、三脚構成が実現され、４つの細長い発光構造体が使用される場合は従って、四脚構成が実現される。
【００１５】
本出願の文脈において、用語「少なくとも３０度の最小角度」は、細長い発光構造体が別の細長い発光構造体と交差する場合の任意の最小角度であり得ることに留意すべきである。より具体的には、２つの発光構造体が互いに交差する場合には２つの角度が画定される。このように画定された角度は合わせて１８０度になり、すなわち角度の合計は１８０度である。従って、細長い発光構造体を、長手方向軸の法線方向に投影すると、別の細長い発光構造体と交差し、そのとき画定される最小角度が３０度以上となっている。換言すれば、互いに交差する発光構造体によって明確な交差が形成される。
【００１６】
本発明の一実施形態では、３つ以上の細長い発光構造体のうちの少なくとも１つは、細長いＬＥＤフィラメントの形態の能動発光構造体であってもよい。この構成により、光は３つ以上の細長い発光構造体のうちの少なくとも１つによって生成されてもよく、一方で、光は他の細長い発光構造体内で受光かつ伝達され、その後、構造体の異なる場所で散乱及び放出される。従って、均一な光分布を生成する一方で、スパークリング効果を単純だが効果的な方法で実現することができる。
【００１７】
本出願の文脈において、用語「ＬＥＤフィラメント」は、白熱フィラメントをある程度模倣することを目的とした任意の種類のＬＥＤ光源であり得ることに留意すべきである。一般的なＬＥＤフィラメントは、一般にはガラス又はサファイアで作製された、透明基材上の一連のＬＥＤ要素を備える。基材及びＬＥＤ要素は一般に、ＬＥＤによって放出された光を所望の特性を有する光に変換するために使用される、コーティングを含む蛍光体で覆われている。一般に、ＬＥＤ要素から青色光が放射され、赤色、緑色、及び青色光の混合体に変換される。この構成により、ＬＥＤフィラメントによって放出される光の色温度を調整することができる。
【００１８】
本出願の文脈において、用語「細長いＬＥＤフィラメント」は、幅の少なくとも３倍の長さを有する任意の種類のＬＥＤフィラメントであってもよいことに留意すべきである。
【００１９】
本発明の一実施形態では、３つ以上の細長い発光構造体のうちの少なくとも１つは、固体レーザを備える細長い発光構造体の形態の能動発光構造体であってもよい。この構成により、光は３つ以上の細長い発光構造体のうちの少なくとも１つによって生成されてもよく、一方で、光は他の細長い発光構造体内で受光かつ伝達され、その後、構造体の異なる場所で散乱及び放出される。従って、均一な光分布を生成する一方で、スパークリング効果を単純だが効果的な方法で実現することができる。
【００２０】
本発明の一実施形態では、３つ以上の細長い発光構造体のうちの少なくとも１つは、細長い光散乱機構の形態の受動発光構造体であってもよく、これは、均一な光分布を生成する一方で、スパークリング効果を単純だが効果的な方法で実現することができる点で有利である。更に、受動発光構造体の使用により、電気的接続部及び電子部品の数を低減させた、簡略化させた製造が可能になり得る。
【００２１】
本発明の一実施形態では、３つ以上の細長い発光構造体は、細長いＬＥＤフィラメントの形態の能動発光構造体であってもよく、これは、均一な光分布を生成する一方で、明確なスパークリング効果を実現できる点で有利である。
【００２２】
本発明の一実施形態では、３つ以上の細長い発光構造体の各々のそれぞれの第２の端部が第２の多角形を画定するように配置され、第１の多角形と第２の多角形とは互いに対して回転された位置にあってもよい。この配置により、スパークリング効果及び均一な光分布が実現され得る。
【００２３】
本発明の一実施形態では、第１の多角形と第２の多角形とは等しい形状であってもよく、これは、３つ以上の細長い発光構造体の対称配置を実現し、その結果、均一な光分布をもたらし得る点で有利である。
【００２４】
本発明の一実施形態では、第１の多角形と第２の多角形とは等しいサイズであってもよく、これは、３つ以上の細長い発光構造体の対称配置を実現し、その結果、均一な光分布をもたらし得る点で有利である。
【００２５】
本発明の一実施形態では、３つ以上の細長い発光構造体の各々を、第１の多角形の法線方向に対する対応角を有して配置してもよく、これは、３つ以上の細長い発光構造体の対称配置を実現し、その結果、均一な光分布をもたらし得る点で有利である。
【００２６】
本発明の一実施形態では、３つの細長い発光構造体が三脚構成で配置されていてもよい。
【００２７】
本発明の一実施形態では、４つの細長い発光構造体が四脚構成で配置されていてもよい。
【００２８】
本発明の一実施形態では、ＳＳＬランプは、３つ以上の細長い発光構造体を少なくとも部分的に取り囲むように構成されている透明バルブを備えてもよい。この配置により、３つ以上の細長い発光構造体を周囲から保護することができる。その上、透明バルブの使用は、ＳＳＬランプの取り扱いを簡略化し、感電又は短絡のリスクを低減させる。
【００２９】
本発明の一実施形態では、透明バルブは、第１の多角形の通過に適合した開口部を含んでもよく、これは、バルブの中に挿入する前に、３つ以上の細長い発光構造体を意図した位置に配置し、電気的に接続することができる点で有利である。
【００３０】
本発明の一実施形態では、透明バルブは、第２の多角形の通過に適合した開口部を備えてもよく、これは、バルブの中に挿入する前に、３つ以上の細長い発光構造体を意図した位置に配置し、電気的に接続することができる点で有利である。
【００３１】
本発明の更なる適用範囲が、以下に記載される「発明を実施するための形態」から明らかとなるであろう。しかしながら、「発明を実施するための形態」及び特定の実施例は、本発明の好ましい実施形態を示すものであるが、当業者にはこの「発明を実施するための形態」から本発明の範囲内の様々な変更形態及び修正形態が明らかなものとなるため、例示としてのみ記載されている点を理解されたい。
【００３２】
それゆえ、説明されたデバイスの特定の構成部品は変更され得るため、本発明は、そのようなデバイスに限定されるものではない点を理解されたい。また、本明細書で使用される用語法は、特定の実施形態を説明することのみを目的とするものであり、限定することを意図するものではない点も理解されたい。本明細書及び添付の請求項で使用されるとき、冠詞「１つの（a）」、「１つの（an）」、「その（the）」、及び「前記（said）」は、文脈が明確にそうではないことを指示しない限り、それらの要素の１つ以上が存在することを意味するように意図されている点が、留意されなければならない。それゆえ、例えば、「１つのユニット（a unit）」又は「そのユニット（the unit）」への言及は、いくつかのデバイスなどを包含し得る。更には、単語「備える（comprising）」、「含む（including）」、「含有する（containing）」、及び同様の表現は、他の要素又は他のステップを排除するものではない。
【図面の簡単な説明】
【００３３】
次に、本発明の上述の態様及び他の態様が、本発明の実施形態を示す添付図面を参照して、より詳細に説明される。図は、本発明を特定の実施形態に限定するものと見なされるべきではなく、むしろ、図は、本発明を説明及び理解するために使用される。
【００３４】
【図１】三脚構成で配置されている３つの細長い細長い発光構造体を備えるＳＳＬランプを概念的に示す。
【図２】四脚構成で配置されている４つの細長い細長い発光構造体を備えるＳＳＬランプを概念的に示す。
【図３】図１と比較して異なって配置されている３つの細長い細長い発光構造体を備えるＳＳＬランプを概念的に示す。
【００３５】
図で示されるように、層及び領域のサイズは、例示の目的のために誇張されており、それゆえ、本発明の実施形態の一般的な構造を例示するように提供されている。同様の参照符号は、全体を通して、同様の要素を指す。
【発明を実施するための形態】
【００３６】
ここで、現時点で好ましい本発明の実施形態が示されている添付図面を参照して、本発明が、以降でより完全に説明される。しかしながら、本発明は、多くの異なる形態で具現化されてもよく、本明細書に記載される実施形態に限定されるとして解釈されるべきではなく、むしろ、実施形態は、完全性及び網羅性のために提供され、当業者に本発明の範囲を完全に伝達するものである。
【００３７】
ここで図面を、特に図１を参照すると、一実施形態によるＳＳＬランプ１００が概念的に図示されている。ＳＳＬランプ１００は、３つの細長い発光構造体１０２、１０４、１０６を備える。３つの発光構造体１０２、１０４、１０６は全て、長さが幅の３倍を超えるという意味で細長い。発光構造体１０２、１０４、１０６は、下端１０２ａ、１０４ａ、１０６ａが三角形の形態の多角形１５０、すなわち第１の多角形１５０を画定するように配置されている。換言すれば、三角形は図１に破線で示されるように、それぞれの端部１０２ａ、１０４ａ、１０６ａを直線で結ぶことによって画定される。
【００３８】
３つの発光構造体１０２、１０４、１０６が互いに交差するように、発光構造体１０２、１０４、１０６の各々の中央部分が互いの近傍に配置されている。
【００３９】
３つの発光構造体１０２、１０４、１０６が互いに交差する場所に共通ネック１２０が形成されている。図１で分かるように、細長い発光構造体１０２、１０４、１０６のそれぞれは、共通ネック１２０において角度を成した形態で互いに交差している。
【００４０】
より具体的には、細長い発光構造体１０２及び１０４は互いに交差して、２つの角度、すなわち角度α及び角度α'を画定している。角度αと角度α'を合わせると１８０度である。細長い発光構造体１０２及び１０４は、図示されたＳＳＬランプ１００では角度α'である最小角度が３０度を超えるように互いに交差している。角度αも３０度を超えている。αとα'との合計が１８０度なので、α及びα'のうちの最小角度が３０度を超えるためには、α及びα'のうちの他の角度は１５０度を超えることはできない。α及びα'のうちの何れの角度が最小角度であってもよい。図１に明らかには示されていないが、対応角は細長い発光構造体１０２、１０４、１０６の各々が互いに交差する場所で画定されることを理解されたい。
【００４１】
発光構造体１０２、１０４、１０６は、上端１０２ｂ、１０４ｂ、１０６ｂが、同じく三角形の形態の別の多角形１５２、すなわち第２の多角形１５２を画定するように配置されている。換言すれば、発光構造体１０２、１０４、１０６は三脚構成で配置されている。
【００４２】
図示された図１のＳＳＬランプ１００では、多角形１５０、１５２は互いに対して回転された位置にあるが、等しい形状である。その上、多角形１５０、１５２は、図示された図１のＳＳＬランプ１００では等しいサイズである。発光構造体１０２、１０４、１０６のそれぞれが、長手方向に対するそれぞれの中心において互いに交差するため、多角形１５０、１５２のサイズは等しい。更に、発光構造体１０２、１０４、１０６は、多角形１５０の法線方向に対する対応角を有して配置されている。発光構造体１０２、１０４、１０６のそれぞれを異なる場所で交差させることによって、異なるサイズの多角形１５０、１５２を実現することができる。換言すれば、多角形１５０、１５２のそれぞれのサイズ間の他の比率が実現され得る。更に、多角形１５０、１５２は、互いに対して傾斜していてもよい。
【００４３】
図示された図１の実施形態では、３つの発光構造体１０２、１０４、１０６は、細長いＬＥＤフィラメント１０２、１０４、１０６の形態の能動発光構造体である。従って、光は３つの発光構造体１０２、１０４、１０６の全ての中で生成され、そこから放出される。３つの発光構造体１０２、１０４、１０６は全て、図示されていないドライバを介してソケット１１２に電気的に間接的に接続されている。ソケット１１２は、ＳＳＬランプ１００を、図示されていない対応するフィッティングに取り付けるために使用される。細長いＬＥＤフィラメント１０２、１０４、１０６はソケット１１２に対して機械的に固定されている。当技術分野で既知のように、細長いＬＥＤフィラメント１０２、１０４、１０６をソケット１１２に対して固定するために、様々な技術及び固定要素が使用され得る。
【００４４】
更に、細長いＬＥＤフィラメント１０２、１０４、１０６は透明バルブ１１０内に配置されている。透明バルブ１１０は、細長いＬＥＤフィラメント１０２、１０４、１０６を取り囲んでいる。バルブによって細長いＬＥＤフィラメント１０２、１０４、１０６を取り囲むことにより、ＳＳＬランプ１００は従来の白熱電球の外観に似ることになる。同時に、バルブ１１０は、通常は脆弱な細長いＬＥＤフィラメント１０２、１０４、１０６が外部物体と接触することから保護することができ、そうしない場合には細長いＬＥＤフィラメント１０２、１０４、１０６は損傷する場合がある。その上、バルブ１１０を用いることにより、ＳＳＬランプ１００の取り扱いを簡略化することができ、かつ感電のリスクを低減させることができる。
【００４５】
バルブ１１０には、下部に開口部１１４が設けられ、そこを通して細長いＬＥＤフィラメント１０２、１０４、１０６が挿入されてもよく、その後、開口部１１４はソケット１１２によって封止される。開口部１１４は、細長いＬＥＤフィラメント１０２、１０４、１０６が、意図された位置に配置され、ソケット１１２に及び互いに電気的に接続され、その後、バルブ１１０の中に挿入され得るような形状及びサイズを有する。換言すれば、多角形１５０及び１５２は開口部１１４を通過するのに適合している。ＬＥＤフィラメント１０２、１０４、１０６は、図示されていないドライバを介してソケット１１２に間接的に接続されていてもよい。
【００４６】
図１の細長いＬＥＤフィラメント１０２、１０４、１０６は全て同じ種類のものであり、そのことは例えば、それらが等しいサイズ及び形状であり、光束という点で同じ量の光を放出し、同じ色温度及び色分布を有する光を放出することを意味する。しかし、様々な種類の細長いＬＥＤフィラメント１０２、１０４、１０６を同じＳＳＬランプ１００内で使用してもよいことに留意されたい。従って、様々な種類の細長いＬＥＤフィラメント１０２、１０４、１０６を使用することにより、ＳＳＬランプ１００の外観及び光分布を調整することができる。例えば、様々な長さ及び形状を有し、様々な色温度の様々な量の光を放出する細長いＬＥＤフィラメント１０２、１０４、１０６を例として使用してもよい。その上、様々な色の細長いＬＥＤフィラメント１０２、１０４、１０６を使用してもよい。更には、固体レーザを備える発光構造体を細長いＬＥＤフィラメント１０２、１０４、１０６の代替として使用してもよい。
【００４７】
ここで図２を参照すると、別の実施形態によるＳＳＬランプ１００が概念的に図示されている。ＳＳＬランプ１００は、４つの細長い発光構造体１０２、１０４、１０６、１０８を備える。４つの発光構造体１０２、１０４、１０６、１０８は全て、長さが幅の３倍を超えるという意味で細長い。発光構造体１０２、１０４、１０６、１０８は、下端１０２ａ、１０４ａ、１０６ａ、１０８ａが矩形の形態の多角形１５０、すなわち第１の多角形１５０を画定するように配置されている。換言すれば、矩形は、図２に破線で示されるように、それぞれの端部１０２ａ、１０４ａ、１０６ａ、１０８ａを直線で結ぶことによって画定される。４つの発光構造体１０２、１０４、１０６、１０８が互いに交差するように、発光構造体１０２、１０４、１０６、１０８の各々の中央部分が互いの近傍に配置されている。
【００４８】
４つの発光構造体１０２、１０４、１０６、１０８が互いに交差する場所に共通ネック１２０が形成されている。図２で分かるように、細長い発光構造体１０２、１０４、１０６、１０８のそれぞれは、共通ネック１２０において角度を成した形態で互いに交差している。
【００４９】
より具体的には、細長い発光構造体１０２及び１０４は互いに交差して、２つの角度、すなわち角度α及び角度α'を画定している。角度αと角度α'を合わせると１８０度である。細長い発光構造体１０２及び１０４は、図示されたＳＳＬランプ１００では角度α'である最小角度が３０度を超えるように互いに交差している。角度αも３０度を超えている。αとα'との合計が１８０度なので、α及びα'のうちの最小角度が３０度を超えるためには、α及びα'のうちの他の角度は１５０度を超えることはできない。α及びα'のうちの何れの角度が最小角度であってもよい。図２に明らかには示されていないが、対応角は細長いＬＥＤフィラメント１０２、１０４、１０６、１０８の各々が互いに交差する場所で画定されることを理解されたい。
【００５０】
発光構造体１０２、１０４、１０６、１０８は、上端１０２ｂ、１０４ｂ、１０６ｂ、１０８ｂが、同じく矩形の形態の別の多角形１５２、すなわち第２の多角形１５２を画定するように配置されている。換言すれば、発光構造体１０２、１０４、１０６、１０８は四脚構成で配置されている。
【００５１】
図示されたＳＳＬランプ１００では、多角形１５０、１５２は互いに対して回転された位置にあるが、等しい形状である。その上、多角形１５０、１５２は、図示された図２のＳＳＬランプでは等しいサイズである。発光構造体１０２、１０４、１０６、１０８のそれぞれが、長手方向に対するそれぞれの中心において互いに交差するため、多角形１５０、１５２のサイズは等しい。発光構造体１０２、１０４、１０６、１０８のそれぞれを異なる場所で交差させることにより、図１に関連して上述したように、異なるサイズの多角形が実現され得る。更に、多角形１５０、１５２は、互いに対して傾斜していてもよい。
【００５２】
図示された図２の実施形態では、４つの発光構造体１０２、１０４、１０６、１０８は、２つの異なる種類のものである。より具体的には、発光構造体１０２、１０８は細長いＬＥＤフィラメント１０２、１０８の形態の能動発光構造体であり、発光構造体１０４、１０６は、細長い光散乱機構１０４、１０６の形態の受動発光構造体である。細長い光散乱機構１０４、１０６は、光を散乱させるための粗面を有する透光性材料のロッド状要素により形成されている。
【００５３】
従って、光が発光構造体１０２、１０８内で生成され、そこから放出されるのに対し、発光構造体１０４、１０６では光は生成されない。しかし、ＬＥＤフィラメント１０２、１０８によって生成され放出された光は、光散乱機構１０４、１０６を照射する。光散乱機構１０４、１０６を照射する光は従って、光散乱機構１０４、１０６によって散乱され、内部で伝達される。換言すれば、光は光散乱機構１０４、１０６から放出される。
【００５４】
能動発光構造体１０２、１０８は、図示されていないドライバを介してソケット１１２に間接的に電気的に接続されているのに対し、受動発光構造体１０４、１０６は、ソケット１１２に電気的に接続されていない。細長い発光構造体１０２、１０４、１０６、１０８はソケット１１２に対して機械的に固定されている。図１に関連して上述したように、細長い発光構造体１０２、１０４、１０６、１０８をソケット１１２に対して固定するために、様々な技術及び固定要素が使用され得る。
【００５５】
更に、図２の細長いＬＥＤフィラメント１０２、１０８及び光散乱機構１０４、１０６は、図１に関連して上述したものと同様に、透明バルブ１１０内に配置されている。図２のバルブ１１０には、下部に開口部１１４が設けられ、そこを通して細長いＬＥＤフィラメント１０２、１０８、及び光散乱機構１０４、１０６が挿入されてもよく、その後、開口部１１４はソケット１１２によって封止される。多角形１５０、１５２は、開口部１１４を通過するのに適合している。
【００５６】
図２の細長いＬＥＤフィラメント１０２、１０８は同じ種類である。しかし、図１に関連して上述したように、異なる種類のＬＥＤフィラメント１０２、１０８を使用してもよい。図２の光散乱機構１０４、１０６は同じ種類である。しかし、異なる種類の光散乱機構１０４、１０６を使用してもよい。例えば、光散乱機構のサイズ及び形状を変化させてもよい。その上、光散乱機構の種類を変化させてもよい。
【００５７】
また、細長い発光構造体１０２、１０４、１０６、１０８の数を変更してもよく、実際には３以上の任意の数を使用してもよく、複数の非限定的な例を挙げると、例えば６、１０又は２３を使用してもよい。
【００５８】
その上、発光構造体１０２、１０４、１０６、１０８間の能動発光構造体と受動発光構造体との間の分布を変化させてもよい。しかし、実際には細長い発光構造体１０２、１０４、１０６、１０８のうちの少なくとも１つは、能動発光構造体である必要があり、そうでなければＳＳＬランプ１００によって光は生成されない。例えば、ＬＥＤフィラメントなどの１つの能動発光構造体を、複数の受動発光構造体と共に使用してもよい。それに対応して、光散乱機構などの１つの受動発光構造体を、複数の能動発光構造体と共に使用してもよい。実際、発光構造体１０２、１０４、１０６、１０８の総数が３以上であり、かつ少なくとも１つの発光構造体が能動型である限り、任意の数の能動発光構造体を任意の数の受動発光構造体と共に使用してもよい。
【００５９】
ここで図３を参照すると、別の実施形態によるＳＳＬランプ１００が概念的に図示されている。図３のＳＳＬランプ１００は、図１のＳＳＬランプ１００と同様に、３つの細長い発光構造体１０２、１０４、１０６を備える。しかし、図３の３つの細長い発光構造体１０２、１０４、１０６は、図１の３つの細長い発光構造体１０２、１０４、１０６と比較して異なって配置されている。図３に示されるように、３つの細長い発光構造体１０２、１０４、１０６は対称には配置されていない。更に、３つの細長い発光構造体１０２、１０４、１０６は等しい種類ではない。図３に図示されるように、発光構造体１０４は発光構造体１０２、１０６よりも長い。
【００６０】
発光構造体１０２、１０４、１０６は、下端１０２ａ、１０４ａ、１０６ａが三角形の形態の多角形１５０、すなわち第１の多角形１５０を画定し、上端１０２ｂ、１０４ｂ、１０６ｂが三角形の形態の多角形１５２、すなわち第２の多角形１５２を画定するように配置されている。換言すれば、発光構造体１０２、１０４、１０６は傾斜三脚構成と呼ばれ得る配置で構成されている。図示された図３のＳＳＬランプ１００では、多角形１５０、１５２は形状又はサイズが等しくなく、互いに対して回転された位置にある。多角形１５０は多角形１５２よりも小さい。第１の多角形１５０と第２の多角形１５２とは、互いに対してわずかに傾斜していることに留意されたい。換言すれば、第１の多角形１５０及び第２の多角形１５２によって画定されるそれぞれの平面は平行ではない。第１の多角形１５０及び第２の多角形１５２は、互いに対して任意の角度で傾斜していてもよい。
【００６１】
３つの発光構造体１０２、１０４、１０６が互いに交差するように、発光構造体１０２、１０４、１０６の各々の中央でない部分が互いの近傍に配置されている。３つの発光構造体１０２、１０４、１０６は、図１に関連して上述したように、少なくとも３０度の最小角度で互いに交差している。
【００６２】
３つの発光構造体１０２、１０４、１０６が互いに交差する場所に共通ネック１２０が形成されている。図３で分かるように、細長い発光構造体１０２、１０４、１０６はそれぞれ、共通ネック１２０において角度を成した形態で互いに交差している。
【００６３】
図１に関連して上述したように、細長い発光構造体１０２、１０４、１０６は開口部１１４が設けられた透明バルブ１１０内に配置されている。更に、図１に関連して上述したように、ソケット１１２が設けられている。
【００６４】
上記において、本発明は限定された数の実施形態を説明することによって例示されている。しかし、それぞれの実施形態について記載されているものを組み合わせることによって、多数の実施形態及び変形形態が容易に実現され得ることを理解すべきである。更にいくつか非限定的な実施例を挙げると、ＳＳＬランプ１００及びその中で使用されるバルブ１１０の全般的なデザインに関係なく、細長い発光構造体１０２、１０４、１０６、１０８の配置を大きく変化させてもよいことを理解されたい。バルブ１１０及びソケット１１２の形状及びサイズは、具体的なニーズに依存して変化し得ることを理解されたい。その上、バルブ１１０及び／又はソケット１１２を省略してもよい。その上、細長い能動発光機構１０２、１０４、１０６、１０８の形状、サイズ、光束、色温度などは、本発明の概念の趣旨を逸脱しない範囲で変化させてもよい。更には、受動発光機構１０４、１０６の形状、サイズ、伸張範囲、向き、種類、不透明度、色、幅、長さなどは、本発明の概念の趣旨を逸脱しない範囲で変化させてもよい。
【００６５】
また、ＳＳＬランプ１００の物理的寸法は、本出願の趣旨を逸脱しない範囲で変化させてもよい。これにより、一般的な発明概念が、多くのレトロフィット用途で、並びに要求に合わせた特定の用途で使用され得ることが可能になる。
【００６６】
それゆえ、本発明を、特定の例示的実施形態を参照して説明してきたが、多くの様々な変更形態、修正形態などが当業者には明らかとなるであろう。図面、本開示、及び添付の請求項の検討によって、特許請求される発明を実施する際に、開示された実施形態に対する変形形態が当業者によって理解され実行され得る。更には、請求項では、単語「備える（comprising）」は他の要素又はステップを排除するものではなく、不定冠詞「１つの（a）」又は「１つの（an）」は複数を排除するものではない。
【図１】
0006878599.tif 000002
【図２】
0006878599.tif 000003
【図３】
0006878599.tif 000004